【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
通信システムにおける移動端末が送信電力を制御する方法であって、
アップリンクデータチャンネル信号の送信電力を第１のオフセットを使用して決定するステップと、
アップリンク制御チャンネル信号の送信電力を第２のオフセットを使用して決定するステップと、を具備し、
前記第１のオフセットと第２のオフセットは基地局から受信されることを特徴とする方法。
【請求項２】
前記アップリンクデータチャンネル信号の送信電力を第１のオフセットを使用して決定するステップは、
サブキャリア当たり干渉及び雑音レベルと、前記移動端末と基地局間のリンクの経路損失と、ターゲットとするアップリンク受信信号対干渉雑音比と、前記第１のオフセットを使用して前記アップリンクデータチャンネル信号の送信電力を決定するステップを具備し、
前記アップリンク制御チャンネル信号の送信電力を第２のオフセットを使用して決定するステップは、サブキャリア当たり干渉及び雑音レベルと、前記移動端末と基地局間のリンクの経路損失と、ターゲットとするアップリンク受信信号対干渉雑音比と、前記第２のオフセットを用いて前記アップリンク制御チャンネル信号の送信電力を決定するステップを具備することを特徴とする請求項１に記載の方法。
【請求項３】
前記経路損失は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項２に記載の方法。
【請求項４】
前記アップリンクデータチャンネル信号の送信電力を第１のオフセットを使用して決定するステップは、下記の＜数式１＞と＜数式２＞のうちいずれか一つのように示されることを特徴とする請求項１乃至３のいずれか１項に記載の方法。
【数１】
2011109659.tif 000001
ここで、Ｐ_ｄａｔａは前記移動端末に割り当てられたアップリンクデータチャンネル送信領域のサブキャリア当たり送信電力を、ＮＩはサブキャリア当たり干渉及び雑音レベルを、Ｌ１は前記移動端末と基地局間のリンクの経路損失を、ＳＩＮＲTargetはターゲットとするアップリンク受信信号対干渉雑音比を、Ｏｆｆｓｅｔは前記第１のオフセットを、各々意味する。
【数２】
2011109659.tif 000002
ここで、α、β、γ、δ、及びεは変数を表す。
【請求項５】
前記Ｌ１は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項４に記載の方法。
【請求項６】
前記アップリンクデータチャンネル信号の送信電力を第２のオフセットを使用して決定するステップは、下記の＜数式３＞と＜数式４＞のうちいずれか一つのように示されることを特徴とする請求項１乃至３のいずれか１項に記載の方法。
【数３】
2011109659.tif 000003
ここで、Ｐ＿ｃｏｎｔｒｏｌは前記移動端末に割り当てられたアップリンクデータチャンネル送信領域のサブキャリア当たり送信電力を、ＮＩはサブキャリア当たり干渉及び雑音レベルを、Ｌ２は前記移動端末と基地局間のリンクの経路損失を、ＳＩＮＲTargetはターゲットとするアップリンク受信信号対干渉雑音比を、ＯｆｆｓｅｔCLPCは前記第２のオフセットを、各々意味する。
【数４】
2011109659.tif 000004
ここで、α、β、γ、δ、及びηは変数を表す。
【請求項７】
前記ＯｆｆｓｅｔCLPCは下記の＜数式５＞のように表現されることを特徴とする請求項６に記載の方法。
【数５】
2011109659.tif 000005
ここで、ΔPowerAdjustは、ＯｆｆｓｅｔCLPCを訂正するための電力訂正値を表し、前記基地局から受信される。
【請求項８】
前記Ｌ２は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項６又は７に記載の方法。
【請求項９】
前記アップリンクデータチャンネル信号の送信電力を第１のオフセットを使用して決定するステップは、下記の＜数式６＞と＜数式７＞のうちいずれか一つのように示され、前記アップリンク制御チャンネル信号の送信電力を第２のオフセットを使用して決定するステップは、下記の＜数式８＞と＜数式９＞のうちいずれか一つのように示されることを特徴とする請求項１乃至３のいずれか１項に記載の方法。
【数６】
2011109659.tif 000006
ここで、Ｐ＿ｄａｔａは前記移動端末に割り当てられたアップリンクデータチャンネル送信領域のサブキャリア当たり送信電力を、ＮＩはサブキャリア当たり干渉及び雑音レベルを、Ｌ１は前記移動端末と基地局間のリンクの経路損失を、ＳＩＮＲTargetはターゲットとするアップリンク受信信号対干渉雑音比を、Ｏｆｆｓｅｔは前記第１のオフセットを、各々意味する。
【数７】
2011109659.tif 000007
ここで、α、β、γ、δ、及びεは変数を表す。
【数８】
2011109659.tif 000008
ここで、Ｐ＿ｃｏｎｔｒｏｌは前記移動端末に割り当てられたアップリンクデータチャンネル送信領域のサブキャリア当たり送信電力を、Ｌ２は前記移動端末と基地局間のリンクの経路損失を、ＯｆｆｓｅｔCLPCは前記第２のオフセットを、各々意味する。
【数９】
2011109659.tif 000009
ここで、ηは変数を表す。
【請求項１０】
前記Ｌ１は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項９に記載の方法。
【請求項１１】
前記ＯｆｆｓｅｔCLPCは、下記の＜数式１０＞のように表されることを特徴とする請求項９又は１０に記載の方法。
【数１０】
2011109659.tif 000010
ここで、ΔPowerAdjustは、ＯｆｆｓｅｔCLPCを訂正するための電力訂正値を表し、前記基地局から受信される。
【請求項１２】
前記Ｌ２は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項９乃至１１のいずれか１項に記載の方法。
【請求項１３】
通信システムにおける移動端末であって、
アップリンクデータチャンネル信号の送信電力を第１のオフセットを使用して決定し、アップリンク制御チャンネル信号の送信電力を第２のオフセットを使用して決定する制御器を含み、
前記第１のオフセットと第２のオフセットは基地局から受信されることを特徴とする移動端末。
【請求項１４】
前記制御器は、サブキャリア当たり干渉及び雑音レベルと、前記移動端末と基地局間のリンクの経路損失と、ターゲットとするアップリンク受信信号対干渉雑音比と、前記第１のオフセットを用いて前記アップリンクデータチャンネル信号の送信電力を決定し、サブキャリア当たり干渉及び雑音レベルと、前記移動端末と基地局間のリンクの経路損失と、ターゲットとするアップリンク受信信号対干渉雑音比と、前記第１のオフセットを用いて前記アップリンク制御チャンネル信号の送信電力を決定することを特徴とする請求項１３に記載の移動端末。
【請求項１５】
前記経路損失は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項１４に記載の移動端末。
【請求項１６】
前記制御器は、下記の＜数式１１＞と＜数式１２＞のうちいずれか一つを使用してアップリンクデータチャンネル信号の送信電力を決定することを特徴とする請求項１３乃至１５のいずれか１項に記載の移動端末。
【数１１】
2011109659.tif 000011
ここで、Ｐ＿ｄａｔａは前記移動端末に割り当てられたアップリンクデータチャンネル送信領域のサブキャリア当たり送信電力を、ＮＩはサブキャリア当たり干渉及び雑音レベルを、Ｌ１は前記移動端末と基地局間のリンクの経路損失を、ＳＩＮＲTargetはターゲットとするアップリンク受信信号対干渉雑音比を、Ｏｆｆｓｅｔは前記第１のオフセットを、各々意味する。
【数１２】
2011109659.tif 000012
ここで、α、β、γ、δ、及びεは変数を表す。
【請求項１７】
前記Ｌ１は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項１６に記載の移動端末。
【請求項１８】
前記制御器は、下記の＜数式１３＞と＜数式１４＞のうちいずれか一つを使用してアップリンク制御チャンネル信号の送信電力を決定することを特徴とする請求項１３乃至１５のいずれか１項に記載の移動端末。
【数１３】
2011109659.tif 000013
ここで、Ｐ＿ｃｏｎｔｒｏｌは前記移動端末に割り当てられたアップリンクデータチャンネル送信領域のサブキャリア当たり送信電力を、ＮＩはサブキャリア当たり干渉及び雑音レベルを、Ｌ２は前記移動端末と基地局間のリンクの経路損失を、ＳＩＮＲTargetはターゲットとするアップリンク受信信号対干渉雑音比を、ＯｆｆｓｅｔCLPCは前記第２のオフセットを、各々意味する。
【数１４】
2011109659.tif 000014
ここで、α、β、γ、及びηは変数を表す。
【請求項１９】
前記ＯｆｆｓｅｔCLPCは下記の＜数式１５＞のように表現されることを特徴とする請求項１８に記載の移動端末。
【数１５】
2011109659.tif 000015
ここで、ΔPowerAdjustは、ＯｆｆｓｅｔCLPCを訂正するための電力訂正値を表し、前記基地局から受信される。
【請求項２０】
前記Ｌ２は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項１８又は１９に記載の移動端末。
【請求項２１】
前記制御器は、下記の＜数式１６＞と＜数式１７＞のうちいずれか一つを使用して前記アップリンクデータチャンネル信号の送信電力を決定し、下記の＜数式１８＞と＜数式１９＞のうちいずれか一つを使用して前記アップリンク制御チャンネル信号の送信電力を決定することを特徴とする請求項１３乃至１５のいずれか１項に記載の移動端末。
【数１６】
2011109659.tif 000016
ここで、Ｐ＿ｄａｔａは前記移動端末に割り当てられたアップリンクデータチャンネル送信領域のサブキャリア当たり送信電力を、ＮＩはサブキャリア当たり干渉及び雑音レベルを、Ｌ１は前記移動端末と基地局間のリンクの経路損失を、ＳＩＮＲTargetはターゲットとするアップリンク受信信号対干渉雑音比を、Ｏｆｆｓｅｔは前記第１のオフセットを、各々意味する。
【数１７】
2011109659.tif 000017
ここで、α、β、γ、δ、及びεは変数を表す。
【数１８】
2011109659.tif 000018
ここで、Ｐ＿ｃｏｎｔｒｏｌは前記移動端末に割り当てられたアップリンクデータチャンネル送信領域のサブキャリア当たり送信電力を、Ｌ２は前記移動端末と基地局間のリンクの経路損失を、ＯｆｆｓｅｔCLPCは前記第２のオフセットを、各々意味する。
【数１９】
2011109659.tif 000019
ここで、ηは変数を表す。
【請求項２２】
前記Ｌ１は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項２１に記載の移動端末。
【請求項２３】
前記ＯｆｆｓｅｔCLPCは、下記の＜数式２０＞のように表されることを特徴とする請求項２１又は２２に記載の方法。
【数２０】
2011109659.tif 000020
ここで、ΔPowerAdjustは、ＯｆｆｓｅｔCLPCを訂正するための電力訂正値を表し、前記基地局から受信される。
【請求項２４】
前記Ｌ２は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項２１乃至２３のいずれか１項に記載の移動端末。
【請求項２５】
通信システムにおける基地局が移動端末の送信電力を制御する方法であって、
移動端末がアップリンクデータチャンネル信号の送信電力を決定するために使用される第１のオフセットを決定するステップと、
前記移動端末がアップリンク制御チャンネル信号の送信電力を決定するために使用される第２のオフセットを決定するステップと、
前記第１のオフセットと第２のオフセットを前記移動端末に送信するステップと、
を具備することを特徴とする方法。
【請求項２６】
通信システムにおける基地局であって、
移動端末がアップリンクデータチャンネル信号の送信電力を決定するために使用される第１のオフセットを決定し、前記移動端末がアップリンク制御チャンネル信号の送信電力を決定するために使用される第２のオフセットを決定する制御器と、
前記第１のオフセットと第２のオフセットを前記移動端末に送信する送信器と、
を含むことを特徴とする基地局。